(57)【要約】【課題】ディスクの取り出し動作のキャンセル機能を持たない従来のディスク記録再生装置において、誤ってディスク取り出し操作をしてしまったり、取り出し操作後、急に記録が必要になってしまった場合など、大切な記録チャンスを逃してしまうような不具合があった。【解決手段】使用者の操作により、ディスク取り出し動作のキャンセルを可能とし、取り出し動作開始前の状態への速やかな復帰を可能とすることにより、上記の不具合を解決する。【選択図】      図２
2006127720.tif 000002
【特許請求の範囲】
【請求項１】
着脱可能なディスク状記録媒体に対して情報データを記録及び／又は再生するディスクドライブと、
前記ディスク状記録媒体の排出を指示する排出指示手段と、
前記ディスク状記録媒体の排出のキャンセルを指示するキャンセル指示手段と、
前記排出指示手段による前記ディスク状記録媒体の排出指示を受けてから所定時間内に前記キャンセル指示手段によるキャンセル指示を受けた場合に、前記ディスク状記録媒体の排出動作を中止する制御手段と、
を具備することを特徴とする情報処理装置。
【請求項２】
前記所定時間とは、前記ディスク状記録媒体の排出指示を受けてから、実際に前記ディスク状記録媒体が排出可能となるまでの準備動作にかかる時間であることを特徴とする請求項１に記載の情報処理装置。
【請求項３】
前記準備動作は、少なくとも前記ディスクドライブに装着されているディスク状記録媒体の管理情報を該ディスク状記録媒体に書き込む動作を含むことを特徴とする請求項２に記載の情報処理装置。
【請求項４】
前記所定時間を任意に設定する設定手段を備えたことを特徴とする請求項１に記載の情報処理装置。
【請求項５】
前記排出指示手段と前記キャンセル指示手段とは同一の部材から構成されていることを特徴とする請求項１に記載の情報処理装置。
【請求項６】
前記排出指示手段と前記キャンセル指示手段とは異なる部材から構成されていることを特徴とする請求項１に記載の情報処理装置。
【請求項７】
前記排出指示手段により前記ディスク状記録媒体の排出指示がなされてから、前記所定時間の間、前記ディスク状記録媒体の排出のキャンセルが有効である旨を通知する通知手段をさらに具備することを特徴とする請求項１に記載の情報処理装置。
【請求項８】
前記制御手段は、前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする請求項１に記載の情報処理装置。
【請求項９】
前記制御手段は、前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記ディスクドライブの動作を制御することを特徴とする請求項８に記載の情報処理装置。
【請求項１０】
前記ディスクドライブは前記ディスク状記録媒体に対して光ビームを照射する光ビームユニットを有し、前記ディスク状記録媒体の装着に応じて前記光ビームのパワーを調整すると共に、前記制御手段は前記ディスクドライブによる調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記ディスクドライブを制御することを特徴とする請求項１に記載の情報処理装置。
【請求項１１】
着脱可能なディスク状記録媒体に対して情報データを記録及び／又は再生するディスクドライブと、前記ディスク状記録媒体の排出を指示する排出指示手段と、前記ディスク状記録媒体の排出のキャンセルを指示するキャンセル指示手段とを具備する情報処理装置を制御する方法であって、
前記排出指示手段による前記ディスク状記録媒体の排出指示が出力されてから所定時間内に前記キャンセル指示手段によるキャンセル指示が出力された場合に、前記ディスク状記録媒体の排出動作を中止することを特徴とする情報処理装置の制御方法。
【請求項１２】
前記所定時間とは、前記ディスク状記録媒体の排出指示を受けてから、実際に前記ディスク状記録媒体が排出可能となるまでの準備動作にかかる時間であることを特徴とする請求項１１に記載の情報処理装置の制御方法。
【請求項１３】
前記準備動作は、少なくとも前記ディスクドライブに装着されているディスク状記録媒体の管理情報を該ディスク状記録媒体に書き込む動作を含むことを特徴とする請求項１１に記載の情報処理装置の制御方法。
【請求項１４】
前記所定時間とは、ユーザによって設定された時間であることを特徴とする請求項１１に記載の情報処理装置の制御方法。
【請求項１５】
前記排出指示手段により前記ディスク状記録媒体の排出指示がなされてから、前記所定時間の間、前記ディスク状記録媒体の排出のキャンセルが有効である旨を通知することを特徴とする請求項１１に記載の情報処理装置の制御方法。
【請求項１６】
前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする請求項１１に記載の情報処理装置の制御方法。
【請求項１７】
前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記ディスクドライブの動作を制御することを特徴とする請求項１１に記載の情報処理装置の制御方法。
【請求項１８】
前記ディスクドライブは前記ディスク状記録媒体に対して光ビームを照射する光ビームユニットを有し、前記ディスク状記録媒体の装着に応じて前記光ビームのパワーを調整すると共に、前記ディスクドライブによる調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記ディスクドライブを制御することを特徴とする請求項１１に記載の情報処理装置の制御方法。
【請求項１９】
請求項１１乃至１８のいずれか１項に記載の制御方法をコンピュータに実行させることを特徴とするプログラム。
【請求項２０】
請求項１９に記載のプログラムをコンピュータ読み取り可能に記憶したことを特徴とする記憶媒体。
【請求項２１】
着脱可能なディスク状記録媒体に対して情報データを記録及び／又は再生するディスクドライブと、
前記ディスク状記録媒体の装着及び排出を行なう装着／排出手段と、
前記ディスク状記録媒体から読み出した該ディスク状記録媒体に関する制御情報を記憶する記憶手段と、
前記装着／排出手段により前記ディスク状記録媒体が排出状態にされてから所定時間内に再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、
を具備することを特徴とする情報処理装置。
【請求項２２】
前記制御情報は、前記ディスク状記録媒体に記録されているデータの管理情報と、前記ディスク状記録媒体に記録及び／又は再生を行なうためのレーザ光のパワーの調整値情報とを含むことを特徴とする請求項２１に記載の情報処理装置。
【請求項２３】
前記装着／排出手段は、前記ディスク状記録媒体を載置するトレイと、該トレイを前記ディスク状記録媒体を前記情報処理装置に装着する位置と排出する位置とに移動させる指示を行なう指示手段とを備えることを特徴とする請求項２１に記載の情報処理装置。
【請求項２４】
前記装着／排出手段は、前記ディスク状記録媒体を覆い、手動で開閉可能なディスクカバーを備えることを特徴とする請求項２１に記載の情報処理装置。
【請求項２５】
前記所定時間を使用者が設定するための設定手段をさらに具備することを特徴とする請求項２１に記載の情報処理装置。
【請求項２６】
前記所定時間の経過情報を表示する表示手段をさらに具備することを特徴とする請求項２１に記載の情報処置装置。
【請求項２７】
着脱可能なディスク状記録媒体に対して情報データを記録及び／又は再生するディスクドライブと、
前記ディスク状記録媒体の装着及び排出を行なう装着／排出手段と、
前記ディスク状記録媒体から読み出した該ディスク状記録媒体に関する制御情報を記憶する記憶手段と、
前記ディスク状記録媒体が前記装着／排出手段により排出状態にもたらされた後に、情報処理装置から取り出されたことを検出する検出手段と、
前記装着／排出手段により前記ディスク状記録媒体が排出状態にされた後、前記情報処理装置から取り出されたことが前記検出手段により検出される前に、再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、
を具備することを特徴とする情報処理装置。
【請求項２８】
前記制御情報は、前記ディスク状記録媒体に記録されているデータの管理情報と、前記ディスク状記録媒体に記録及び／又は再生を行なうためのレーザ光のパワーの調整値情報とを含むことを特徴とする請求項２７に記載の情報処理装置。
【請求項２９】
着脱可能なディスク状記録媒体に対して情報データを記録及び／又は再生するディスクドライブと、前記ディスク状記録媒体の装着及び排出を行なう装着／排出手段と、前記ディスク状記録媒体から読み出した該ディスク状記録媒体に関する制御情報を記憶する記憶手段とを具備する情報処理装置を制御する方法であって、
前記装着／排出手段により前記ディスク状記録媒体が排出状態にされてから所定時間内に再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする情報処理装置の制御方法。
【請求項３０】
前記制御情報は、前記ディスク状記録媒体に記録されているデータの管理情報と、前記ディスク状記録媒体に記録及び／又は再生を行なうためのレーザ光のパワーの調整値情報とを含むことを特徴とする請求項２９に記載の情報処理装置の制御方法。
【請求項３１】
着脱可能なディスク状記録媒体に対して情報データを記録及び／又は再生するディスクドライブと、前記ディスク状記録媒体の装着及び排出を行なう装着／排出手段と、
前記ディスク状記録媒体から読み出した該ディスク状記録媒体に関する制御情報を記憶する記憶手段と、前記ディスク状記録媒体が前記装着／排出手段により排出状態にもたらされた後に、情報処理装置から取り出されたことを検出する検出手段とを具備する情報処理装置を制御する方法であって、
前記装着／排出手段により前記ディスク状記録媒体が排出状態にされた後、前記情報処理装置から取り出されたことが前記検出手段により検出される前に、再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする情報処理装置の制御方法。
【請求項３２】
前記制御情報は、前記ディスク状記録媒体に記録されているデータの管理情報と、前記ディスク状記録媒体に記録及び／又は再生を行なうためのレーザ光のパワーの調整値情報とを含むことを特徴とする請求項３１に記載の情報処理装置の制御方法。
【請求項３３】
請求項２９乃至３２のいずれか１項に記載の制御方法をコンピュータに実行させることを特徴とするプログラム。
【請求項３４】
請求項３３に記載のプログラムをコンピュータ読み取り可能に記憶したことを特徴とする記憶媒体。
【発明の詳細な説明】
【技術分野】
【０００１】
本発明は、着脱可能なディスク状記録媒体に情報データを記録及び／又は再生する技術に関するものである。
【背景技術】
【０００２】
従来、画像データを光ディスクなどのディスク媒体に記録するディスクレコーダが知られている（特許文献１、特許文献２参照）。この種の装置では、ディスク上の記録データを管理する管理情報を用いてデータの記録再生を行っている。通常、ディスクの装着に伴ってディスクから読み出した管理情報を本体メモリに格納し、記録、再生動作に伴ってメモリ上の管理情報を更新し、ディスク取り出し時にディスクに書き戻している。
【０００３】
また、近年では、撮影した画像データをディスク媒体に対して記録再生するディスクビデオカメラも登場している。
【特許文献１】特開平８−１５３０４０号公報
【特許文献２】特開２００３−３１７３８９号公報
【発明の開示】
【発明が解決しようとする課題】
【０００４】
前述のディスクビデオカメラでは、一般的に、ディスク取り出し時においては、管理情報の他、日付情報等をディスクに書き込む必要がある。また、ディスク装着時には、管理情報の読み出しに加え、光学ピックアップのレーザーキャリブレーション、空き領域の検出等を行う必要がある。
【０００５】
これらの動作には、数十秒にもおよぶ膨大な時間を必要とするため、誤ってディスク取り出し操作をしてしまったり、取り出し操作後、急に記録が必要になってしまった場合などには、記録可能な状態となるまでにかなりの時間がかかってしまい、大切な記録チャンスを逃してしまうという問題点があった。
【０００６】
従って、本発明は上述した課題に鑑みてなされたものであり、その目的は、誤ってディスク取り出し操作を行ってしまった場合でも、迅速に記録可能な状態にできるようにすることである。
【課題を解決するための手段】
【０００７】
上述した課題を解決し、目的を達成するために、本発明に係わる情報処理装置は、着脱可能なディスク状記録媒体に対して情報データを記録及び／又は再生するディスクドライブと、前記ディスク状記録媒体の排出を指示する排出指示手段と、前記ディスク状記録媒体の排出のキャンセルを指示するキャンセル指示手段と、前記排出指示手段による前記ディスク状記録媒体の排出指示を受けてから所定時間内に前記キャンセル指示手段によるキャンセル指示を受けた場合に、前記ディスク状記録媒体の排出動作を中止する制御手段と、を具備することを特徴とする。
【０００８】
また、この発明に係わる情報処理装置において、前記所定時間とは、前記ディスク状記録媒体の排出指示を受けてから、実際に前記ディスク状記録媒体が排出可能となるまでの準備動作にかかる時間であることを特徴とする。
【０００９】
また、この発明に係わる情報処理装置において、前記準備動作は、少なくとも前記ディスクドライブに装着されているディスク状記録媒体の管理情報を該ディスク状記録媒体に書き込む動作を含むことを特徴とする。
【００１０】
また、この発明に係わる情報処理装置において、前記所定時間を任意に設定する設定手段を備えたことを特徴とする。
【００１１】
また、この発明に係わる情報処理装置において、前記排出指示手段と前記キャンセル指示手段とは同一の部材から構成されていることを特徴とする。
【００１２】
また、この発明に係わる情報処理装置において、前記排出指示手段と前記キャンセル指示手段とは異なる部材から構成されていることを特徴とする。
【００１３】
また、この発明に係わる情報処理装置において、前記排出指示手段により前記ディスク状記録媒体の排出指示がなされてから、前記所定時間の間、前記ディスク状記録媒体の排出のキャンセルが有効である旨を通知する通知手段をさらに具備することを特徴とする。
【００１４】
また、この発明に係わる情報処理装置において、前記制御手段は、前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする。
【００１５】
また、この発明に係わる情報処理装置において、前記制御手段は、前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記ディスクドライブの動作を制御することを特徴とする。
【００１６】
また、この発明に係わる情報処理装置において、前記ディスクドライブは前記ディスク状記録媒体に対して光ビームを照射する光ビームユニットを有し、前記ディスク状記録媒体の装着に応じて前記光ビームのパワーを調整すると共に、前記制御手段は前記ディスクドライブによる調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記ディスクドライブを制御することを特徴とする。
【００１７】
また、本発明に係わる情報処理装置の制御方法は、着脱可能なディスク状記録媒体に対して情報データを記録及び／又は再生するディスクドライブと、前記ディスク状記録媒体の排出を指示する排出指示手段と、前記ディスク状記録媒体の排出のキャンセルを指示するキャンセル指示手段とを具備する情報処理装置を制御する方法であって、前記排出指示手段による前記ディスク状記録媒体の排出指示が出力されてから所定時間内に前記キャンセル指示手段によるキャンセル指示が出力された場合に、前記ディスク状記録媒体の排出動作を中止することを特徴とする。
【００１８】
また、この発明に係わる情報処理装置の制御方法において、前記所定時間とは、前記ディスク状記録媒体の排出指示を受けてから、実際に前記ディスク状記録媒体が排出可能となるまでの準備動作にかかる時間であることを特徴とする。
【００１９】
また、この発明に係わる情報処理装置の制御方法において、前記準備動作は、少なくとも前記ディスクドライブに装着されているディスク状記録媒体の管理情報を該ディスク状記録媒体に書き込む動作を含むことを特徴とする。
【００２０】
また、この発明に係わる情報処理装置の制御方法において、前記所定時間とは、ユーザによって設定された時間であることを特徴とする。
【００２１】
また、この発明に係わる情報処理装置の制御方法において、前記排出指示手段により前記ディスク状記録媒体の排出指示がなされてから、前記所定時間の間、前記ディスク状記録媒体の排出のキャンセルが有効である旨を通知することを特徴とする。
【００２２】
また、この発明に係わる情報処理装置の制御方法において、前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする。
【００２３】
また、この発明に係わる情報処理装置の制御方法において、前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記ディスクドライブの動作を制御することを特徴とする。
【００２４】
また、この発明に係わる情報処理装置の制御方法において、前記ディスクドライブは前記ディスク状記録媒体に対して光ビームを照射する光ビームユニットを有し、前記ディスク状記録媒体の装着に応じて前記光ビームのパワーを調整すると共に、前記ディスクドライブによる調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記ディスクドライブを制御することを特徴とする。
【００２５】
また、本発明に係わるプログラムは、上記の制御方法をコンピュータに実行させることを特徴とする。
【００２６】
また、本発明に係わる記憶媒体は、上記のプログラムをコンピュータ読み取り可能に記憶したことを特徴とする。
【００２７】
また、本発明に係わる情報処置装置は、着脱可能なディスク状記録媒体に対して情報データを記録及び／又は再生するディスクドライブと、前記ディスク状記録媒体の装着及び排出を行なう装着／排出手段と、前記ディスク状記録媒体から読み出した該ディスク状記録媒体に関する制御情報を記憶する記憶手段と、前記装着／排出手段により前記ディスク状記録媒体が排出状態にされてから所定時間内に再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、を具備することを特徴とする。
【００２８】
また、この発明に係わる情報処置装置において、前記制御情報は、前記ディスク状記録媒体に記録されているデータの管理情報と、前記ディスク状記録媒体に記録及び／又は再生を行なうためのレーザ光のパワーの調整値情報とを含むことを特徴とする。
【００２９】
また、この発明に係わる情報処置装置において、前記装着／排出手段は、前記ディスク状記録媒体を載置するトレイと、該トレイを前記ディスク状記録媒体を前記情報処理装置に装着する位置と排出する位置とに移動させる指示を行なう指示手段とを備えることを特徴とする。
【００３０】
また、この発明に係わる情報処置装置において、前記装着／排出手段は、前記ディスク状記録媒体を覆い、手動で開閉可能なディスクカバーを備えることを特徴とする。
【００３１】
また、この発明に係わる情報処置装置において、前記所定時間を使用者が設定するための設定手段をさらに具備することを特徴とする。
【００３２】
また、この発明に係わる情報処置装置において、前記所定時間の経過情報を表示する表示手段をさらに具備することを特徴とする。
【００３３】
また、本発明に係わる情報処理装置は、着脱可能なディスク状記録媒体に対して情報データを記録及び／又は再生するディスクドライブと、前記ディスク状記録媒体の装着及び排出を行なう装着／排出手段と、前記ディスク状記録媒体から読み出した該ディスク状記録媒体に関する制御情報を記憶する記憶手段と、前記ディスク状記録媒体が前記装着／排出手段により排出状態にもたらされた後に、情報処理装置から取り出されたことを検出する検出手段と、前記装着／排出手段により前記ディスク状記録媒体が排出状態にされた後、前記情報処理装置から取り出されたことが前記検出手段により検出される前に、再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、を具備することを特徴とする。
【００３４】
また、この発明に係わる情報処置装置において、前記制御情報は、前記ディスク状記録媒体に記録されているデータの管理情報と、前記ディスク状記録媒体に記録及び／又は再生を行なうためのレーザ光のパワーの調整値情報とを含むことを特徴とする。
【００３５】
また、本発明に係わる情報処置装置の制御方法は、着脱可能なディスク状記録媒体に対して情報データを記録及び／又は再生するディスクドライブと、前記ディスク状記録媒体の装着及び排出を行なう装着／排出手段と、前記ディスク状記録媒体から読み出した該ディスク状記録媒体に関する制御情報を記憶する記憶手段とを具備する情報処理装置を制御する方法であって、前記装着／排出手段により前記ディスク状記録媒体が排出状態にされてから所定時間内に再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする。
【００３６】
また、この発明に係わる情報処置装置の制御方法において、前記制御情報は、前記ディスク状記録媒体に記録されているデータの管理情報と、前記ディスク状記録媒体に記録及び／又は再生を行なうためのレーザ光のパワーの調整値情報とを含むことを特徴とする。
【００３７】
また、本発明に係わる情報処置装置の制御方法は、着脱可能なディスク状記録媒体に対して情報データを記録及び／又は再生するディスクドライブと、前記ディスク状記録媒体の装着及び排出を行なう装着／排出手段と、前記ディスク状記録媒体から読み出した該ディスク状記録媒体に関する制御情報を記憶する記憶手段と、前記ディスク状記録媒体が前記装着／排出手段により排出状態にもたらされた後に、情報処理装置から取り出されたことを検出する検出手段とを具備する情報処理装置を制御する方法であって、前記装着／排出手段により前記ディスク状記録媒体が排出状態にされた後、前記情報処理装置から取り出されたことが前記検出手段により検出される前に、再度前記装着／排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする。
【００３８】
また、この発明に係わる情報処置装置の制御方法において、前記制御情報は、前記ディスク状記録媒体に記録されているデータの管理情報と、前記ディスク状記録媒体に記録及び／又は再生を行なうためのレーザ光のパワーの調整値情報とを含むことを特徴とする。
【００３９】
また、本発明に係わるプログラムは、上記の制御方法をコンピュータに実行させることを特徴とする。
【００４０】
また、本発明に係わる記憶媒体は、上記のプログラムをコンピュータ読み取り可能に記憶したことを特徴とする。
【発明の効果】
【００４１】
本発明によれば、、誤ってディスク取り出し操作を行ってしまった場合でも、迅速に記録可能な状態にすることが可能となる。
【発明を実施するための最良の形態】
【００４２】
以下、本発明の好適な実施形態について、図面を参照して詳細に説明する。
【００４３】
図１は、本発明を適用したカメラ一体型光ディスク記録再生装置の第１の実施形態の構成を示すブロック図である。
【００４４】
カメラブロック１６は、撮像用のレンズや、そのレンズを駆動させるモータ、およびＣＣＤなどから構成される。そして、カメラブロック１６は、撮影した画像信号をデジタルデータに変換し、圧縮／伸長処理部１４のビデオ処理部１２に出力する。オーディオ入力ブロック１７は、集音用マイクロフォンなどから構成され、集音されたオーディオ信号をデジタルデータに変換し、圧縮／伸長処理部１４のオーディオ処理部１３に出力する。
【００４５】
ビデオ処理部１２は、カメラブロック１６から供給されてきたビデオデータに対して、ＭＰＥＧ等の信号圧縮フォーマットに基づいて、ＤＣＴ（離散コサイン変換）処理、量子化処理などを施し、圧縮されたビデオデータを多重化処理部１１に出力する。また、ビデオ処理部１２は、多重化処理部１１から供給されてきたビデオデータを、ＭＰＥＧ等のフォーマットに基づいて伸長し、取得したビデオデータをビデオ／オーディオエンコーダ２０に出力する。
【００４６】
オーディオ処理部１３は、オーディオ入力ブロック１７から供給されてきたオーディオデータを、ＭＰＥＧオーディオ、ドルビーデジタル、またはリニアＰＣＭなどのフォーマットに基づいて圧縮し、得られたオーディオデータを多重化処理部１１に出力する。また、オーディオ処理部１３は、多重化処理部１１から供給されてきたオーディオデータを伸長し、取得したオーディオデータをビデオ／オーディオエンコーダ２０に出力する。
【００４７】
ビデオ／オーディオエンコーダ２０はＯＳＤ（オンスクリーンディスプレイ）制御部２１を含み、ビデオ処理部１２から供給されてきたビデオデータをエンコードし、更にＯＳＤ制御部２１により発生させられるユーザーへの各種表示（文字やアイコン等）情報を付加し、液晶パネル１９に出力する。また、オーディオ処理部１３から供給されてきたオーディオデータをエンコードし、スピーカ１８に出力する。
【００４８】
多重化処理部１１は、ビデオ処理部１２から供給されてきたビデオデータ、およびオーディオ処理部１３から供給されてきたオーディオデータを多重化処理し、取得したミキシングデータをディスク信号処理部７に出力する。
【００４９】
また、多重化処理部１１は、ディスク信号処理部７から供給されてきたデータをビデオデータおよびオーディオデータに分離し、ビデオデータをビデオ処理部１２に、オーディオデータをオーディオ処理部１３にそれぞれ出力する。
【００５０】
ユーザーにより録画が指示された場合、ディスク信号処理部７は、システム制御部（マイクロコンピュータ）９の制御により、圧縮／伸長処理部１４の多重化処理部１１から供給されてきたデータに、コンテンツＮｏ．、撮影日時、撮影条件、コンテンツのタイトル等の管理情報、及び、所定のエラー訂正ブロックを付加し、アナログフロントエンド６に出力する。また、前記管理情報は、メモリ２６にも一時的に記憶される。
【００５１】
また、ユーザーにより、外部からの入力信号を記録する指示が与えられている場合には、外部デジタルインターフェースブロック１５から供給されるデータをアナログフロントエンド６に出力する。
【００５２】
ユーザーにより再生が指示された場合、ディスク信号処理部７は、アナログフロントエンド６から供給されてきたディスク再生ストリームを復調し、所定のエラー訂正、およびデスクランブルなどを施して、得られたデータを圧縮／伸長処理部１４、及び、外部デジタルインターフェースブロック１５に出力すると共に、前記の管理情報を分離し、システム制御部９に出力する。
【００５３】
外部デジタルインターフェースブロック１５は、ＵＳＢやＩＥＥＥ１３９４等であり、システム制御部９の指示により、外部Ｉ／Ｆコネクタ２５を介して、外部機器との映像・音声信号及び、制御コマンド等の入出力を行う。
【００５４】
また、ディスク信号処理部７は、アナログフロントエンド６から供給されてきたトラッキングエラー信号に基づいて、スピンドルモータ４、光学ヘッド３、およびキャリッジモータ２を制御するためのサーボ系信号を生成し、それをモータアンプ５に出力する。
【００５５】
アナログフロントエンド６は、システム制御部９の制御に基づいて、ディスク信号処理部７から供給されるディスク記録ストリームをアナログ変換し、増幅などの処理を施した後、光学ヘッド３に出力するとともに、光学ヘッド３におけるレーザーの発光を制御する。
【００５６】
また、アナログフロントエンド６は、光ディスク媒体（以下、単にディスクとも呼ぶ）１に記録されているデータを読み出すとき、光学ヘッド３から供給された、レーザーの反射光に対応する信号を増幅し、デジタル変換した後、ディスク再生ストリームとしてディスク信号処理部７に出力する。また、アナログフロントエンド６は、光学ヘッド３から供給された、反射光の強さに対応する信号からトラッキングエラー信号などを生成し、デジタル変換してディスク信号処理部７に出力する。
【００５７】
モータアンプ５は、ディスク信号処理部７から供給されるサーボ系信号に基づいて、スピンドル制御信号、フォーカストラッキング制御信号、キャリッジ制御信号を生成し、それらをスピンドルモータ４、光学ヘッド３、およびキャリッジモータ２のそれぞれに出力して各部を制御する。
【００５８】
スピンドルモータ４は、モータアンプ５から供給されるスピンドル制御信号に基づいて、装着されたディスク状記録媒体１を所定の回転速度で回転させる。
【００５９】
光学ヘッド３は、モータアンプ５から供給されるフォーカストラッキング制御信号、およびアナログフロントエンド６の制御に基づいて、照射部（不図示）からディスク状記録媒体１の所定の位置にレーザーを照射する。また、光学ヘッド３は、照射部から照射され、ディスク状記録媒体１の表面で反射されたレーザーを受光し、ディスク状記録媒体１のピットを読み取り、反射光の強さに対応する信号をアナログフロントエンド６に出力する。
【００６０】
キャリッジモータ２は、光学ヘッド３をディスク状記録媒体１の中心から円周を結ぶ直線上の所定の位置に移動させ、光学ヘッド３がディスク状記録媒体１の所定のピットトラックにレーザーを照射し、ディスク状記録媒体１に記録されているデータを読み取ることができるようにする。
【００６１】
また、ディスク信号処理部７、アナログフロントエンド６、光学ヘッド３等の光学系は、ディスク状記録媒体１の装着時、装着されたディスク毎に固有な、フォーカス、スピンドル各サーボ系のサーボゲイン、レーザーパワーの最適化等のキャリブレーション作業をシステム制御部９の指示により行う。
【００６２】
操作部１０は、カメラ系の操作に係わる各種スイッチ（[ＺＯＯＭ]，[ＦＯＣＵＳ]等）類から構成されるカメラ系操作部、再生系及び装置全体に関する各種スイッチ（[ＵＰ]，[ＤＯＷＮ]，[ＭＥＮＵ]，［ＳＥＴ]，[ＰＬＡＹ]，[ＦＦ／ＲＥＷ]，[ＳＴＯＰ]，[ＳＴＡＲＴ／ＳＴＯＰ]，［ＥＪＥＣＴ]，［ＣＡＮＣＥＬ］等）類から構成される再生系操作部、本体の電源モード（カメラ・再生・オフ）を選択するための電源モードＳＷ（スイッチ）部等から構成され、ユーザーからの指示をシステム制御部９に出力する。
【００６３】
ディスク検出部２４は、システム制御部９の指示により、ディスク装着の有／無をメカ的に検出し情報をシステム制御部９に送信する。ディスクカバーＯｐｅｎ／Ｃｌｏｓｅ検出部２３は、ディスクカバーの状態を検出し、システム制御部９に送信する。
【００６４】
ＬＥＤ２２は、システム制御部９の指示により点灯／点滅を行い、使用者への簡易的な通知を行う。
【００６５】
メモリ２６は、ディスク状記録媒体１装着時の前記キャリブレーション結果情報、各コンテンツの管理情報、ディスクの空き領域の管理情報等を一時的に記憶する半導体メモリである。
【００６６】
システム制御部９は、各種機能を総合的に制御するマイクロコンピュータ、制御プログラム格納用ＲＯＭ、各処理作業用ＲＡＭ、Ｉ／Ｏポート、タイマーカウント部等から構成され、操作部１０から供給される、ユーザからの指示に対応する信号に基づいて、アナログフロントエンド６、ディスク信号処理部７、圧縮／伸長処理部１４、外部デジタルインターフェースブロック１５、ディスク検出部２４、およびビデオ／オーディオエンコーダ２０を含む、カメラ一体型光ディスク記録再生装置の全体の動作を制御する。
【００６７】
システム制御部９はまた、ディスク状記録媒体１が装着された場合、光学系を制御して前述の様にサーボゲインやレーザーパワーの最適化などのキャリブレーション作業を実行すると共に、ディスク状記録媒体１の所定の領域に記録されている管理情報を読み出し、メモリ２６に記憶する。そして、ディスク状記録媒体１に対するデータの記録、再生を実行するたびにメモリ２６に記憶された管理情報の内容を更新すると共に、ディスク状記録媒体１の取り出し指示に応じてメモリ２６より管理情報を読み出してディスク状記録媒体１に書き込む。
【００６８】
上記のカメラ一体型光ディスク記録再生装置において、ディスク取り出し動作をキャンセルする場合の第１の動作に関して、図２のディスク取り出し動作キャンセルのフローチャートと、図３のディスク取り出し動作キャンセルの動作イメージ図を参照して以下説明する。
【００６９】
図２のステップＳ２０２で操作部１０の[ＥＪＥＣＴ]ＳＷ（以下ＳＷはスイッチを表わす）が押下されたら（図３、３０１参照）、ディスクの取り出し動作が開始される。具体的には、ステップＳ２０３で現在のディスクに関わる情報（前記キャリブレーション情報、管理情報、空きエリア情報等；以下ではこれらの情報を総称して制御情報と呼ぶこともある）をメモリ２６に待避する動作を開始し、ステップＳ２０４に進み、ディスクの管理情報等必要なデータをディスクに書き込む動作が開始される。
【００７０】
なお、ステップＳ２０３の現在のディスクに関わる情報をメモリ２６に待避する動作、ステップＳ２０４のディスクの管理情報等必要なデータ（制御情報）をディスクに書き込む動作などをディスクを取り出すための準備動作（取り出し準備動作）と呼び、この取り出し準備動作と最終的なディスクカバーのオープン動作とをあわせてディスクの取り出し動作と呼ぶことにする。
【００７１】
次にステップＳ２０５で、ディスクの取り出しと、取り出しキャンセルが有効である旨のメッセージ表示を、システム制御部９、ＯＳＤ制御部２１の指示により、液晶パネル１９上に行う（図３、３０２参照）。この状態では、まだディスクの取り出し準備動作を行なっているのでディスクカバーはオープンせず、そのままディスクの取り出し動作を継続させることも可能であるし、[ＥＪＥＣＴ]ＳＷを再度押下することによりディスクの取り出し動作をキャンセルすることも可能である。
【００７２】
ステップＳ２０６では、再度、操作部１０の[ＥＪＥＣＴ]ＳＷが押下されたか／否かを検出し、押下されたら（図３、３０３参照）ステップＳ２１０へ分岐し、否ならばステップＳ２０７へ進み、取り出し準備動作が完了したかの確認を行う。ステップＳ２０７でディスクの取り出し準備動作の完了が確認されたら、ステップＳ２０８でディスクカバーをオープンし、ステップＳ２０９で処理を終了する。
【００７３】
なお、ステップＳ２０２で[ＥＪＥＣＴ]ＳＷが押下されると、前述したディスクの取り出し準備動作が行なわれるため、実際にディスクカバーをオープンさせるまでにこの取り出し準備動作のための時間（例えば５秒程度）がかかる。そのため、この取り出し準備動作を行なっている時間の間にステップＳ２０６で再度[ＥＪＥＣＴ]ＳＷが押下され、キャンセル指示がなされた場合に、以下のディスク取り出し動作のキャンセル処理が行われる。
【００７４】
取り出し準備動作を行なっている間に、ステップＳ２０６で再度[ＥＪＥＣＴ]ＳＷが押下され、キャンセル指示がなされた場合には、ステップＳ２１０で、ディスク取り出し動作のキャンセル処理が行われる。ディスクへの管理情報の書き込みが終了した後であれば、書き込んだ管理情報を消去し、また、ステップＳ２０３でメモリ２６に待避した情報を、システム制御部９内部の各種処理用ＲＡＭに復帰させ、ディスク取り出し動作開始前の状態に復帰させ、ステップＳ２１１で、取り出し動作開始前の動作状態へ遷移する。
【００７５】
尚、本実施形態では、ステップＳ２０５において、取り出しキャンセルが有効である旨のメッセージ表示を、液晶パネル１９上の文字表示によって行ったが、ＬＥＤ２２の点滅表示や、スピーカー１８によるビープ音等により代用することも可能である。更に、これらどれも行わなくとも構わない。
【００７６】
（第２の実施形態）
第１の実施形態と同じ構成のカメラ一体型光ディスク記録再生装置において、ディスク取り出し動作をキャンセルする場合の第２の動作に関して、図４のディスク取り出し動作キャンセルのフローチャートを参照して以下説明する。
【００７７】
この第２の実施形態のキャンセル動作は、第１の実施形態の動作を示す図２のフローチャートとステップＳ４０６のみが異なり、他は同じである。
【００７８】
第１の実施形態のステップＳ２０６では、ディスク取り出し動作のキャンセル指示を、操作部１０の[ＥＪＥＣＴ]ＳＷで行っていたが、第２の実施形態においては、操作部１０の専用の[ＣＡＮＣＥＬ]ＳＷの検出によって行う。ステップＳ４０６において、ディスク取り出し準備動作完了前に、操作部１０の[ＣＡＮＣＥＬ]ＳＷが押下された場合、ステップＳ２１０へ分岐して、ディスク取り出し動作キャンセル処理を行う。それ以外は第１の実施形態と同様なので説明を省略する。
【００７９】
（第３の実施形態）
第１の実施形態と同じ構成のカメラ一体型光ディスク記録再生装置において、ディスク取り出し動作をキャンセルする場合の第３の動作に関して、図５のディスク取り出し動作キャンセルのフローチャートを参照して以下説明する。
【００８０】
この第３の実施形態のキャンセル動作は、第１の実施形態の動作を示す図２のフローチャートとステップＳ５０６、ステップＳ５１２のみが異なり、他は同じである。
【００８１】
第１の実施形態のステップＳ２０６では、ディスク取り出し動作のキャンセル指示を、操作部１０の[ＥＪＥＣＴ]ＳＷで行っていたが、第３の実施形態においては、操作部１０の[ＳＴＡＲＴ／ＳＴＯＰ]ＳＷの検出によって行う。ステップＳ５０６において、ディスク取り出し準備動作完了前に、操作部１０の[ＳＴＡＲＴ／ＳＴＯＰ]ＳＷが押下された場合、ステップＳ２１０へ分岐して、ディスク取り出し動作キャンセル処理を行い、ステップＳ２１１で取り出し動作開始前の動作状態へ遷移した後、ステップＳ５１２で記録を再開する。それ以外は第１の実施形態と同様なので説明を省略する。
【００８２】
（第４の実施形態）
第１の実施形態と同じ構成のカメラ一体型光ディスク記録再生装置において、ディスク取り出し動作をキャンセルする場合の第４の動作に関して、図７のディスク取り出し動作キャンセルのフローチャートと、図６のディスク取り出しキャンセル指示有効時間設定時のＵＩ（ユーザインターフェイス）表示を参照して以下説明する。
【００８３】
本実施形態では、ユーザが任意にディスク取り出しキャンセルの有効時間を設定することができる。
【００８４】
先ず、ディスク取り出しキャンセル指示有効時間の設定について説明する。
【００８５】
操作部１０の[ＭＥＮＵ]ＳＷを押下（図６、６０４参照）し、［カメラメニュー］を起動する（図６、６００参照）。ここで、操作部１０の[ＵＰ]、[ＤＯＷＮ]ＳＷ（図６、６０５参照）を操作し、メニューカーソル６０７を移動して、“システム設定”の項目を選択し、操作部１０の[ＳＥＴ]ＳＷ（図６、６０５参照）を押下する。すると、図６の６０１の［システム設定］メニューが表示される。ここで、前記同様、図６の[ＵＰ]、[ＤＯＷＮ]ＳＷ６０５を操作して、“キャンセル有効時間”を選択する。すると、図６の６０２に示すキャンセル有効時間の設定メニューが表示される。ここでは、初期値である“未”が選択されているので、前記同様図６の[ＵＰ]、[ＤＯＷＮ]ＳＷ６０５を操作して所望な時間、ここでは“３秒”を選択し設定する（図６、６０３参照）。なお、このときキャンセル有効時間の候補として表示する時間は、最長でも前述のディスク取り出し準備のための時間とし、それ以上の時間が設定できないようにしている。
【００８６】
次に、第４の実施形態における、ディスク取り出しキャンセル動作について説明する。
【００８７】
ステップＳ７０１からステップＳ７０５については、第１の実施形態のステップＳ２０１からステップＳ２０５と同様なので、ここでの説明は省略する。
【００８８】
ステップＳ７０６で、予め前述した方法で設定されたキャンセル有効時間のカウントを開始する。カウントには、システム制御部９のタイマーカウント部を使用する。但し、キャンセル有効時間の設定が、“未”であった場合は、カウント動作は行わない。
【００８９】
ステップＳ７０７で、キャンセル有効時間内であるか、又は、キャンセル有効時間の設定が“未”であるかの判定を行い、時間内か設定“未”であるならば、ステップＳ７０８に分岐し、第１の実施形態と同様に[ＥＪＥＣＴ]ＳＷが再度押下されたか／否かの判定を行い、押下されていたら、ステップＳ７１２に分岐し、取り出し動作キャンセル処理を行う。これに対して、ステップＳ７０７で有効時間を過ぎてしまった場合、ステップＳ７０８はスキップしてステップＳ７０９に分岐することにより、取り出し動作キャンセルの指示を受け付けなくする。ステップＳ７０９〜ステップＳ７１３に関しては、第１の実施形態のステップＳ２０７からステップＳ２１１と同様なので説明を省略する。
【００９０】
以上説明したように、上記の第１乃至第４の実施形態によれば、誤って排出を指示した場合にも排出動作を中止することができ、不意の記録チャンスを逃さず、また、誤操作によるディスク取り出し動作に対するリカバリーを迅速にする効果がある。
【００９１】
また、ディスク取り出しのキャンセル指示があった場合には、ディスクの排出指示を受けた際にメモリに記憶されていた管理情報をそのまま用いて装置の動作を制御するので、管理情報を再度ディスクから読み出す必要がなく、即座にディスクへの記録又は再生動作を再開することができる。
【００９２】
（第５の実施形態）
図８は、本発明を適用したカメラ一体型光ディスク記録再生装置の第５の実施形態の構成を示すブロック図である。
【００９３】
本実施形態では、カメラ一体型光ディスク記録再生装置は、ディスク状記録媒体を載せたトレイを、モーターなどにより自動的に引き込み又は排出をさせ、ディスク状記録媒体のローディング及び排出を自動的に行なうオートローディング機構を採用しているものとする。
【００９４】
カメラブロック８１６は、撮像用のレンズや、そのレンズを駆動させるモータ、およびＣＣＤなどから構成される。そして、カメラブロック８１６は、撮影した画像信号をデジタルデータに変換し、圧縮／伸長処理部８１４のビデオ処理部８１２に出力する。オーディオ入力ブロック８１７は、集音用マイクロフォンなどから構成され、集音されたオーディオ信号をデジタルデータに変換し、圧縮／伸長処理部８１４のオーディオ処理部８１３に出力する。
【００９５】
ビデオ処理部８１２は、カメラブロック８１６から供給されてきたビデオデータに対して、ＭＰＥＧ等の信号圧縮フォーマットに基づいて、ＤＣＴ（離散コサイン変換）処理、量子化処理などを施し、圧縮されたビデオデータを多重化処理部８１１に出力する。また、ビデオ処理部８１２は、多重化処理部８１１から供給されてきたビデオデータを、ＭＰＥＧ等のフォーマットに基づいて伸長し、取得したビデオデータをビデオ／オーディオエンコーダ８２０に出力する。
【００９６】
オーディオ処理部８１３は、オーディオ入力ブロック８１７から供給されてきたオーディオデータを、ＭＰＥＧオーディオ、ドルビーデジタル、またはリニアＰＣＭなどのフォーマットに基づいて圧縮し、得られたオーディオデータを多重化処理部８１１に出力する。また、オーディオ処理部８１３は、多重化処理部８１１から供給されてきたオーディオデータを伸長し、取得したオーディオデータをビデオ／オーディオエンコーダ８２０に出力する。
【００９７】
ビデオ／オーディオエンコーダ８２０はＯＳＤ（オンスクリーンディスプレイ）制御部８２１を含み、ビデオ処理部８１２から供給されてきたビデオデータをエンコードし、更にＯＳＤ制御部８２１により発生させられるユーザーへの各種表示（文字やアイコン等）情報を付加し、液晶パネル８１９に出力する。また、オーディオ処理部８１３から供給されてきたオーディオデータをエンコードし、スピーカ８１８に出力する。
【００９８】
多重化処理部８１１は、ビデオ処理部８１２から供給されてきたビデオデータ、およびオーディオ処理部８１３から供給されてきたオーディオデータを多重化処理し、取得したミキシングデータをディスク信号処理部８０７に出力する。
【００９９】
また、多重化処理部８１１は、ディスク信号処理部８０７から供給されてきたデータをビデオデータおよびオーディオデータに分離し、ビデオデータをビデオ処理部８１２に、オーディオデータをオーディオ処理部８１３にそれぞれ出力する。
【０１００】
ユーザーにより録画が指示された場合、ディスク信号処理部８０７は、システム制御部（マイクロコンピュータ）８０９の制御により、圧縮／伸長処理部８１４の多重化処理部８１１から供給されてきたデータに、コンテンツＮｏ．、撮影日時、撮影条件、コンテンツのタイトル等の管理情報、及び、所定のエラー訂正ブロックを付加し、アナログフロントエンド８０６に出力する。また、前記管理情報は、メモリ８２６にも一時的に記憶される。
【０１０１】
また、ユーザーにより、外部からの入力信号を記録する指示が与えられている場合には、外部デジタルインターフェースブロック８１５から供給されるデータをアナログフロントエンド８０６に出力する。
【０１０２】
ユーザーにより再生が指示された場合、ディスク信号処理部８０７は、アナログフロントエンド８０６から供給されてきたディスク再生ストリームを復調し、所定のエラー訂正、およびデスクランブルなどを施して、得られたデータを圧縮／伸長処理部８１４、及び、外部デジタルインターフェースブロック８１５に出力すると共に、前記の管理情報を分離し、システム制御部８０９に出力する。
【０１０３】
外部デジタルインターフェースブロック８１５は、ＵＳＢやＩＥＥＥ１３９４等であり、システム制御部８０９の指示により、外部Ｉ／Ｆコネクタ８２５を介して、外部機器との映像・音声信号及び、制御コマンド等の入出力を行う。
【０１０４】
また、ディスク信号処理部８０７は、アナログフロントエンド８０６から供給されてきたトラッキングエラー信号に基づいて、スピンドルモータ８０４、光学ヘッド８０３、およびキャリッジモータ８０２を制御するためのサーボ系信号を生成し、それをモータアンプ８０５に出力する。
【０１０５】
アナログフロントエンド８０６は、システム制御部８０９の制御に基づいて、ディスク信号処理部８０７から供給されるディスク記録ストリームをアナログ変換し、増幅などの処理を施した後、光学ヘッド８０３に出力するとともに、光学ヘッド８０３におけるレーザーの発光を制御する。
【０１０６】
また、アナログフロントエンド８０６は、光ディスク媒体（以下、単にディスクとも呼ぶ）８０１に記録されているデータを読み出すとき、光学ヘッド８０３から供給された、レーザーの反射光に対応する信号を増幅し、デジタル変換した後、ディスク再生ストリームとしてディスク信号処理部８０７に出力する。また、アナログフロントエンド８０６は、光学ヘッド８０３から供給された、反射光の強さに対応する信号からトラッキングエラー信号などを生成し、デジタル変換してディスク信号処理部８０７に出力する。
【０１０７】
モータアンプ８０５は、ディスク信号処理部８０７から供給されるサーボ系信号に基づいて、スピンドル制御信号、フォーカストラッキング制御信号、キャリッジ制御信号を生成し、それらをスピンドルモータ８０４、光学ヘッド８０３、およびキャリッジモータ８０２のそれぞれに出力して各部を制御する。
【０１０８】
スピンドルモータ８０４は、モータアンプ８０５から供給されるスピンドル制御信号に基づいて、装着されたディスク状記録媒体１を所定の回転速度で回転させる。
【０１０９】
光学ヘッド８０３は、モータアンプ８０５から供給されるフォーカストラッキング制御信号、およびアナログフロントエンド８０６の制御に基づいて、照射部（不図示）からディスク状記録媒体８０１の所定の位置にレーザーを照射する。また、光学ヘッド８０３は、照射部から照射され、ディスク状記録媒体８０１の表面で反射されたレーザーを受光し、ディスク状記録媒体８０１のピットを読み取り、反射光の強さに対応する信号をアナログフロントエンド８０６に出力する。
【０１１０】
キャリッジモータ８０２は、光学ヘッド８０３をディスク状記録媒体８０１の中心から円周を結ぶ直線上の所定の位置に移動させ、光学ヘッド８０３がディスク状記録媒体８０１の所定のピットトラックにレーザーを照射し、ディスク状記録媒体８０１に記録されているデータを読み取ることができるようにする。
【０１１１】
また、ディスク信号処理部８０７、アナログフロントエンド８０６、光学ヘッド８０３等の光学系は、ディスク状記録媒体８０１の装着時、装着されたディスク毎に固有な、フォーカス、スピンドル各サーボ系のサーボゲイン、レーザーパワーの最適化等のキャリブレーション作業をシステム制御部８０９の指示により行う。例えば、レーザパワーの調整動作に関しては、例えば、ＤＶＤ−ＲＡＭの如き書き換え可能ディスクの場合、所定のキャリブレーション領域に対して異なるレーザパワーで複数回所定のデータを記録し、そのデータを読み取った結果、エラーが少なかったものを最適値とする。通常、レーザパワーを変えながら数回のデータの書き込み、読み出しを行うため、時間がかかる。
【０１１２】
操作部８１０は、カメラ系の操作に係わる各種スイッチ（[ＺＯＯＭ]，[ＦＯＣＵＳ]等）類から構成されるカメラ系操作部、再生系及び装置全体に関する各種スイッチ（[ＵＰ]，[ＤＯＷＮ]，[ＭＥＮＵ]，［ＳＥＴ]，[ＰＬＡＹ]，[ＦＦ／ＲＥＷ]，[ＳＴＯＰ]，[ＳＴＡＲＴ／ＳＴＯＰ]，［ＥＪＥＣＴ]，［ＣＡＮＣＥＬ］等）類から構成される再生系操作部、本体の電源モード（カメラ・再生・オフ）を選択するための電源モードＳＷ（スイッチ）部等から構成され、ユーザーからの指示をシステム制御部８０９に出力する。
【０１１３】
ディスクトレイ搬送部８２４は、システム制御部８０９の指示により、ディスクトレイ８２７を、ディスクの挿脱可能位置とディスクアクセス可能位置との間で搬送する。ディスクトレイＯｐｅｎ／Ｃｌｏｓｅ検出部８２３は、ディスクトレイの状態を検出し、システム制御部８０９に送信する。
【０１１４】
ＬＥＤ８２２は、システム制御部８０９の指示により点灯／点滅を行い、使用者への簡易的な通知を行う。
【０１１５】
メモリ８２６は、ディスク状記録媒体８０１の装着時の前記キャリブレーション結果情報、各コンテンツの管理情報、ディスクの空き領域の管理情報等を一時的に記憶する半導体メモリである。
【０１１６】
システム制御部８０９は、各種機能を総合的に制御するマイクロコンピュータ、制御プログラム格納用ＲＯＭ、各処理作業用ＲＡＭ、Ｉ／Ｏポート、タイマーカウント部等から構成され、操作部８１０から供給される、ユーザからの指示に対応する信号に基づいて、アナログフロントエンド８０６、ディスク信号処理部８０７、圧縮／伸長処理部８１４、外部デジタルインターフェースブロック８１５、ディスクトレイ搬送部８２４、およびビデオ／オーディオエンコーダ８２０を含む、カメラ一体型光ディスク記録再生装置の全体の動作を制御する。
【０１１７】
システム制御部８０９はまた、ディスク状記録媒体８０１が装着された場合、光学系を制御して前述の様にサーボゲインやレーザーパワーの最適化などのキャリブレーション作業を実行すると共に、ディスク状記録媒体８０１の所定の領域に記録されている管理情報を読み出し、メモリ８２６に記憶する。そして、ディスク状記録媒体８０１に対するデータの記録、再生を実行するたびにメモリ８２６に記憶された管理情報の内容を更新すると共に、ディスク状記録媒体８０１の取り出し指示に応じてメモリ８２６より管理情報を読み出してディスク状記録媒体８０１に書き込む。
【０１１８】
上記のカメラ一体型光ディスク記録再生装置において、ディスクアクセスのための初期動作を省略する動作に関して、図９のディスクアクセスのための初期動作省略動作のフローチャートと、図１１の初期動作省略可能時間タイマのカウントダウン表示を参照して以下説明する。
【０１１９】
ステップＳ９０２で操作部８１０の[ＥＪＥＣＴ]ＳＷが押下されたら、ステップＳ９０３で現在のディスクに関わる情報（前記キャリブレーション情報、管理情報、空きエリア情報等；なお、以下の説明ではこれらの情報を総称して制御情報と呼ぶこともある）をメモリ８２６に待避し、ステップＳ９０４に進み、ディスクの回転停止動作が開始される。次にステップＳ９０５で、ディスクの回転停止を待ち、回転停止後ステップＳ９０６に進む。ステップＳ９０６では初期動作省略可能時間タイマをセットし、カウントダウンを開始する。ここでセットするタイマ値は、システムが予め初期値として持つ時間でも良いし、後述するように使用者により設定された時間でも構わない。ステップＳ９０７ではディスクトレイ搬送部８２４を制御し、ディスクアンローディング動作を開始する。
【０１２０】
ステップＳ９０８でディスクアンローディング動作が完了したか否かを判断し、完了していればステップＳ９０９へ、否であれば、ステップＳ９１０へそれぞれ分岐する。ステップＳ９０９では、初期動作省略可能時間タイマのカウントダウンが終了したか否かを判断し、終了していればステップＳ９１６に分岐し、ディスクアンローディング動作を完全に終了する。否であれば、ステップＳ９１０に分岐し、再度操作部８１０の[ＥＪＥＣＴ]ＳＷが押下されたか否かを判断し、押されていればステップＳ９１１に分岐し、否であれば、ステップＳ９０８に戻る。なお、[ＥＪＥＣＴ]ＳＷは、ディスクが既にローディングされていれば、押下することにより、ディスクのアンローディング動作を指示し、ディスクがまだローディングされていない場合には、押下することによりローディング動作を指示するものとする。
【０１２１】
上記のカウントダウンの進行状況を示す、液晶パネル８１９上の表示の一例を図１１の１１０１に示す。ここでは、カウントダウンの進行状況を表すプログレスバーの中に、時間を示す数字が表示され、残り時間の「マス」を強調表示する（図１１、１１０２）。また、図１１の１１０３のようなメッセージを表示し、現在の状況をより解りやすくしている。尚、このような表示は行っても行わなくてもどちらでも良い。
【０１２２】
ステップＳ９１１では、ディスクトレイ搬送部８２４を制御し、ディスクローディング動作を開始し、ステップＳ９１２でローディング動作の完了を待つ。完了が確認出来たらステップＳ９１３でディスクの回転動作を開始する。ステップＳ９１４では、ステップＳ９０３で一時的にメモリ８２６に待避した制御情報（前記キャリブレーション情報、管理情報、空きエリア情報等）を、システム制御部８０９内部の各種処理用ＲＡＭに復帰させることにより、ディスクアクセスに必要な初期動作の一部を省略し、ステップＳ９１５に進み、ディスク取り出し動作開始前の動作状態へ迅速に遷移する。
【０１２３】
ここで、上記のディスクアクセスのための初期動作省略可能時間タイマの値を、使用者によって設定する場合の操作について、図１０のディスクアクセスのための初期動作省略可能時間設定時のＵＩ（ユーザインターフェース）表示を参照して以下説明する。
【０１２４】
操作部８１０の[ＭＥＮＵ]ＳＷを押下（図１０、１００４参照）し、［カメラメニュー］を起動する（図１０、１０００参照）。ここで、操作部８１０の[ＵＰ]、[ＤＯＷＮ]ＳＷ（図１０、１００５参照）を操作し、メニューカーソル１００６を移動して、「システム設定」の項目を選択し、操作部８１０の[ＳＥＴ]ＳＷ（図１０、１００５参照）を押下する。すると、図１０の１００１の［システム設定］メニューが表示される。ここで、上記と同様、図１０の１００５を操作して、"初期動作省略可能時間"を選択する。すると、図１０の１００２に示す初期動作省略可能時間の設定メニューが表示される。ここでは、初期値である「１秒」が選択されているので、図１０の１００５を操作して所望な時間、ここでは「３秒」を選択し設定する（図１０、１００３参照）。
【０１２５】
（第６の実施形態）
この第６の実施形態では、カメラ一体型光ディスク記録再生装置の外見的な構成は、第１の実施形態を示す図１と同様である。
【０１２６】
本実施形態では、図１に示す構成のカメラ一体型光ディスク記録再生装置に、第５の実施形態と同様のディスクアクセスのための初期動作を省略する動作を適用する場合について説明する。
【０１２７】
念のために、図１を参照して第５の実施形態と異なる部分について説明を行う。
【０１２８】
ディスク（挿脱）検出部２４は、システム制御部９の指示により、ディスク挿脱の有無をメカ的に検出し情報をシステム制御部９に送信する。ディスクカバーＯｐｅｎ／Ｃｌｏｓｅ検出部２３は、ディスクカバーの状態を検出し、システム制御部９に送信する。
【０１２９】
システム制御部９は、各種機能を総合的に制御するマイクロコンピュータ、制御プログラム格納用ＲＯＭ、各処理作業用ＲＡＭ、Ｉ／Ｏポート、タイマーカウント部等から構成され、操作部１０から供給される、ユーザからの指示に対応する信号に基づいて、アナログフロントエンド６、ディスク信号処理部７、圧縮／伸長処理部１４、外部デジタルインターフェースブロック１５、ディスク検出部２４、およびビデオ／オーディオエンコーダ２０を含む、カメラ一体型光ディスク記録再生装置の全体の動作を制御する。
【０１３０】
ディスク検出部２４の動作に関して、図１２のディスク挿脱検出部の動作イメージ図を参照してその詳細を以下説明する。
【０１３１】
１はディスク、１２０２はターンテーブル、１２０１はディスクチャッキング用の爪でスプリング等で上下方向に移動可動となっており、ディスク１の固定を行う。４はスピンドルモータでディスクの回転制御を行う。これらは、既知のものなので詳細な説明は割愛する。
【０１３２】
次にディスク挿脱の検出を可能とするメカニズムについて説明する。
【０１３３】
１２１０は検出用のアクチュエータで台座１２０８に取り付けられ、上下機構１２０９により上下の移動が可能となっている。アクチュエータ１２１０は、ディスク検出部材１２０５と、スプリング１２０４と、台座１２０７と、検出スイッチ１２０６とを備えて構成され、これらはシステム制御部９によって制御される。
【０１３４】
通常のディスク回転時、アクチュエータ１２１０は下に降りていてディスクに接触しないように制御されている（図１２（ａ）参照）。ディスク１の停止時、アクチュエータ１２１０は上下機構１２０９により押し上げられ、このときにディスク１が装着されているとディスク検出部材１２０５が押し下げられ、検出スイッチ１２０６がオンされ（図１２（ｂ）参照）、その情報がシステム制御部９に送られて、ディスク１の装着が検出できる。これに対して、ディスクが装着されていないと、検出スイッチ１２０６はオンされないので（図１２（ｃ）参照）、ディスクが非装着であることが検出できる。
【０１３５】
本実施形態のカメラ一体型光ディスク記録再生装置において、ディスクアクセスのための初期動作を省略する動作に関して、図１３のディスクアクセスのための初期動作省略動作のフローチャートと、図１４の初期動作省略可能時間タイマのカウントダウン表示を参照して以下説明する。
【０１３６】
ステップＳ１３０２からステップＳ１３０６までは、図９のステップＳ９０２からステップＳ９０６と同様であり、また、ディスクアクセスのための初期動作省略可能時間タイマの値を、使用者によって設定する場合の操作についても第５の実施形態と同様なので説明を割愛する。
【０１３７】
ステップＳ１３０７ではディスクカバー（図示せず）をオープンし、ステップＳ１３０８へ進む。
【０１３８】
ステップＳ１３０８で初期動作省略可能時間タイマのカウントダウンが終了したか否かを判断し、終了していればステップＳ１３０９へ、否であればステップＳ１３１０へそれぞれ分岐する。ステップＳ１３０９では、ディスク検出部２４によりディスクの取り外しが行われたか否かの検出を行い、取り外しが行われていればステップＳ１３１４に分岐しディスクの取り出し動作を完全に終了する。否であれば、ステップＳ１３１０でディスクカバーがクローズされているか否かの検出を行い、クローズされていればステップＳ１３１１に分岐し、否であればステップＳ１３０８に戻る。
【０１３９】
上記のカウントダウンの進行状況を示す、液晶パネル１９上の表示の一例を図１４の１４１１に示す。ここでは、カウントダウンの進行状況を表すプログレスバーの中に、時間を示す数字が表示され、残り時間の「マス」を強調表示する（図１４、１４１２）。また、図１４の１４１３のようなメッセージを表示し、現在の状況をより解りやすくしている。尚、このような表示は行っても行わなくてもどちらでも良い。
【０１４０】
ステップＳ１３１１でディスクの回転動作を開始する。ステップＳ１３１２では、ステップＳ１３０３で一時的にメモリ２６に待避した制御情報（キャリブレーション情報、管理情報、空きエリア情報等）を、システム制御部９内部の各種処理用ＲＡＭに復帰させることにより、ディスクアクセスに必要な初期動作の一部を省略し、ステップＳ１３１３に進み、ディスク取り出し動作開始前の動作状態へ迅速に遷移する。
【０１４１】
以上説明したように、上記の第５及び第６の実施形態によれば、アンローディング動作を開始後、一定時間内に再度ローディング動作の指示を受けた場合、ローディング動作に移行するとともに、一時的にメモリ８２６に記憶した制御情報（キャリブレーション情報、管理情報、空きエリア情報等）を読み出してシステム制御部８０９内部の各種処理用ＲＡＭに復帰させ、ローディング動作完了後のディスクにアクセスして上記制御情報を読み出すための初期動作を省略することにより、ディスク取り出し動作開始直後の不意の記録チャンスを逃さない、また、誤操作によるディスク取り出し動作に対するリカバリーを迅速にする効果がある。
【０１４２】
更に、ディスクカバーオープン完了後、一定時間内に、再度ディスクカバーがクローズされた場合、一時的にメモリ２６に記憶した制御情報（キャリブレーション情報、管理情報、空きエリア情報等）を読み出してシステム制御部９内部の各種処理用ＲＡＭに復帰させ、ディスク装着完了後のディスクにアクセスして上記制御情報を読み出すための初期動作を省略することにより、ディスク取り出し動作開始直後の不意の記録チャンスを逃さない、また、誤操作によるディスク取り出し動作に対するリカバリーを迅速にする効果がある。
【０１４３】
更に、カウントする所定の時間を、使用者により設定可能とすることにより、誤って前記初期動作を省略してしまうことを防止する効果がある。
【０１４４】
更に、カウント進行状況を表示することにより、前記アンローディング動作開始後に再度ローディング動作指示を行った場合、または、カバーオープン後に再度カバークローズを行った場合、前記初期動作が省略されるか否かの判断を容易にする効果がある。
【０１４５】
更に、アンローディング動作が完了する前に、ローディング動作の指示を受けた場合、ローディング動作に移行することにより、ディスクの交換が行われなかったことを確実に判断し、ローディング動作完了後のディスクにアクセスするための初期動作を省略可能とする効果がある。
【０１４６】
更に、ディスク挿脱状態の変化が検出される前に、再度ディスクカバーがクローズされた場合、ディスクの交換が行われなかったことを確実に判断し、ディスクにアクセスするための初期動作を省略可能とする効果がある。また、初期動作を省略可能とすることによる更なる効果は前述の通りである。
【０１４７】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１４８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１４９】
本発明を上記記憶媒体に適用する場合、その記憶媒体には、先に説明した手順に対応するプログラムコードが格納されることになる。
【図面の簡単な説明】
【０１５０】
【図１】本発明を適用したカメラ一体型光ディスク記録再生装置の第１の実施形態の構成を示すブロック図である。
【図２】第１の実施形態におけるディスク取り出し動作キャンセルのフローチャートである。
【図３】ディスク取り出し動作キャンセルの動作イメージ図である。
【図４】第２の実施形態におけるディスク取り出し動作キャンセルのフローチャートである。
【図５】第３の実施形態におけるディスク取り出し動作キャンセルのフローチャートである。
【図６】ディスク取り出し動作キャンセル指示の有効時間設定画面を示す図である。
【図７】第４の実施形態におけるディスク取り出し動作キャンセルのフローチャートである。
【図８】本発明を適用したカメラ一体型光ディスク記録再生装置の第５の実施形態の構成を示すブロック図である。
【図９】第５の実施形態におけるディスクアクセスのための初期動作省略動作のフローチャートである。
【図１０】ディスクアクセスのための初期動作省略可能時間設定時のＵＩ表示例を示す図である。
【図１１】第５の実施形態における初期動作省略可能時間タイマのカウントダウン表示例を示す図である。
【図１２】第６の実施形態におけるディスク（挿脱）検出部の動作イメージ図である。
【図１３】第６の実施形態におけるディスクアクセスのための初期動作省略動作のフローチャートである。
【図１４】第６の実施形態における初期動作省略可能時間タイマのカウントダウン表示例を示す図である。
【符号の説明】
【０１５１】
１，８０１  ディスク
２，８０２  キャリッジモータ
３，８０３  光学ヘッド
４，８０４  スピンドルモータ
５，８０５  モータアンプ
６，８０６  アナログフロントエンド
７，８０７  ディスク信号処理部
８，８０８  管理情報処理部
９，８０９  システム制御部（マイクロコンピュータ）
１０，８１０  操作部
１１，８１１  多重化処理部
１２，８１２  ビデオ処理部
１３，８１３  オーディオ処理部
１４，８１４  圧縮／伸長処理部
１５，８１５  外部デジタルインターフェースブロック
１６，８１６  カメラブロック
１７，８１７  オーディオ入力ブロック
１８，８１８  スピーカ
１９，８１９  液晶パネル
２０，８２０  ビデオ／オーディオエンコーダ
２１，８２１  ＯＳＤ制御部
２２，８２２  ＬＥＤ
２３  ディスクカバーＯｐｅｎ／Ｃｌｏｓｅ検出部
２４  ディスク検出部
２５，８２５  外部Ｉ／Ｆコネクタ
８２３  ディスクトレイＯｐｅｎ／Ｃｌｏｓｅ検出部
８２４  ディスクトレイ搬送部
８２７  ディスクトレイ
【図１】
2006127720.tif 000003
【図２】
2006127720.tif 000004
【図３】
2006127720.tif 000005
【図４】
2006127720.tif 000006
【図５】
2006127720.tif 000007
【図６】
2006127720.tif 000008
【図７】
2006127720.tif 000009
【図８】
2006127720.tif 000010
【図９】
2006127720.tif 000011
【図１０】
2006127720.tif 000012
【図１１】
2006127720.tif 000013
【図１２】
2006127720.tif 000014
【図１３】
2006127720.tif 000015
【図１４】
2006127720.tif 000016